(57)【要約】【課題】入賞装置を取り付けるために遊技盤に設けられる開口を不要にする。【解決手段】入賞装置１は、入賞口１６を備えて遊技盤４の前面４ａに取り付けられる前面取付部２と、特定領域３２に流入した遊技球を検出するためのＶセンサ３４を備えて遊技盤４の背面４ｂに取り付けられる背面取付部３とで構成される。入賞装置１が前後２部分に分割されているので遊技盤４に取付用の開口を設ける必要がない。入賞口１６から入賞した遊技球を特定領域３２又は非特定領域３３に振分けるための振分機構（振分室２９及び可動体３０）が背面取付部３に設けられていて、この前方になる部分の遊技盤４に遊技釘を配置することも可能であり、遊技領域を有効に利用できる。【選択図】図２
2007319605.tif 000002
【特許請求の範囲】
【請求項１】
入賞口を形成する部材を備えて遊技盤の前面に取り付けられる前面取付部と、
前記入賞口に入賞した遊技球の全て又は一部を検出するための検出手段を備えて、前記遊技盤の背面に取り付けられる背面取付部と
で構成され、
前記前面取付部と前記背面取付部とを、それぞれ前記遊技盤に取り付けることで完成し、
前記入賞した遊技球は前記遊技盤に設けられた貫通穴を通って前記検出手段に導かれる
ことを特徴とする入賞装置。
【請求項２】
請求項１記載の入賞装置において、
前記背面取付部には、前記入賞した遊技球を振分けるための振分機構が設けられていることを特徴とする入賞装置。
【請求項３】
請求項１又は２記載の入賞装置において、
前記背面取付部には、前記入賞した遊技球を移送するための移送機構が設けられていることを特徴とする入賞装置。
【請求項４】
請求項１、２又は３記載の入賞装置において、
遊技盤の背面への前記背面取付部の投影面積は、遊技盤の前面への前記前面取付部の投影面積よりも大きいことを特徴とする入賞装置。
【請求項５】
請求項１〜４のいずれか記載の入賞装置において、
前記前面取付部には、前記入賞口を拡大縮小或いは開閉するための開閉部材が設けられ、
前記背面取付部には、前記開閉部材を駆動するためのアクチュエータが設けられていることを特徴とする入賞装置。
【請求項６】
前記前面取付部と前記背面取付部とは、一方に設けられて前記遊技盤に開けられたボス穴に挿通されたボスに螺入したねじによって連結される
ことを特徴とする請求項１〜５のいずれか記載の入賞装置。
【請求項７】
電気配線は前記背面取付部のみに接続されることを特徴とする請求項１〜６のいずれか記載の入賞装置。
【請求項８】
請求項１〜７のいずれか記載の入賞装置が取り付けられた遊技盤。
【請求項９】
前記背面取付部内における遊技球の移動経路の少なくとも一部が、遊技者から視認可能とされていることを特徴とする請求項８記載の遊技盤。
【請求項１０】
請求項２記載の入賞装置が取り付けられていて、
前記振分機構による振分の結果が遊技者から視認可能とされていることを特徴とする請求項９記載の遊技盤。
【請求項１１】
請求項３記載の入賞装置が取り付けられていて、
前記移送機構による移送経路の結果が遊技者から視認可能とされていることを特徴とする請求項９記載の遊技盤。
【発明の詳細な説明】
【技術分野】
【０００１】
本発明は、パチンコ機等の弾球遊技機の技術分野に属する。
【背景技術】
【０００２】
パチンコ機等の弾球遊技機においては、遊技盤に入賞装置が取り付けられる。
入賞装置は、主としてその構造によってチャッカー、チューリップ、アタッカー、羽根もの等と呼び分けられている。
【０００３】
入賞装置として必須とされるのは、遊技球を流入させる入賞口と、入賞した遊技球を遊技盤の背後に誘導して放出するための構成とであるが、入賞口を拡大縮小するための開閉部材（チューリップ）、入賞口を開閉するための開閉部材（アタッカー、羽根もの）、入賞した遊技球を移送するための回転体、入賞した遊技球を振分けるための振分機構（例えばクルーン）等が設けられることがある。また、開閉部材や回転体などを駆動するためのソレノイドやモータ等のアクチュエータが設けられることもある。
【特許文献１】特開２００６−６８０６１号公報
【特許文献２】特開２００６−１４８９６号公報
【特許文献３】特開２００６−６１２７１号公報
【特許文献４】特開２００５−２０４８２５号公報
【発明の開示】
【発明が解決しようとする課題】
【０００４】
ところで、パチンコ機等の弾球遊技機において、透明な合成樹脂製の遊技盤が使用されることがあるが（例えば特開２００５−３１２４７１号公報）、このような遊技盤にあっても、入賞装置の構成及び取付方法は合板製の遊技盤と同様であり、遊技盤には入賞装置取付け用の開口を設けておき、アッセンブリされた入賞装置を遊技盤の前面側から上記開口に挿し込んでビスで固定していた。
【０００５】
入賞装置を取り付けるための開口を設けると、その分だけ遊技盤の強度が低下するので、このような開口をできるだけ少なくまた小さくするのが望ましい。
【課題を解決するための手段】
【０００６】
請求項１記載の入賞装置は、
入賞口を形成する部材を備えて遊技盤の前面に取り付けられる前面取付部と、
前記入賞口に入賞した遊技球の全て又は一部を検出するための検出手段を備えて、前記遊技盤の背面に取り付けられる背面取付部と
で構成され、
前記前面取付部と前記背面取付部とを、それぞれ前記遊技盤に取り付けることで完成し、
前記入賞した遊技球は前記遊技盤に設けられた貫通穴を通って前記検出手段に導かれる
構成であるから、入賞した遊技球を通すための貫通穴が在ればよく、アッセンブリされた入賞装置を遊技盤の前面側から挿し込むための入賞装置取付け用の開口を遊技盤に設ける必要はない。
【０００７】
よって、遊技盤に設ける開口をできるだけ少なくまた小さくでき、開口による遊技盤の強度低下を防止できる。
なお、背面取付部に備えられる検出手段は、入賞口に入賞した遊技球の全てを検出するものであってもよいし、その一部例えば大当たり等の特別な遊技状態を発生させるための遊技球、特別な状態を継続させるための遊技球を検出するものであってもよい。また、こうした検出手段が複数個備わっていてもよい。その場合、各検出手段の役割が異なっていてもよい。
【０００８】
請求項２記載の入賞装置は、請求項１記載の入賞装置において、前記背面取付部には、前記入賞した遊技球を振分けるための振分機構が設けられていることを特徴とする。
例えばクルーンのような振分機構は、遊技球を当たり（特典；例えば大入賞口開放あり）またははずれ（特典無し）に振分けるのが普通であり、その振分結果が遊技に（獲得し得る遊技球の数に）大きく影響する。
【０００９】
このため、遊技者は、例えば当たり穴に入ったか否かの振分結果を確認したいと要望するし、通常は、これを遊技者が視認できるようになっている。
請求項２記載の入賞装置では、入賞した遊技球を振分けるための振分機構が背面取付部に設けられているので、この入賞装置を透光性の遊技盤に装着した場合、遊技盤を透かして振分機構（少なくとも振分の結果）を遊技者が視認可能になる。勿論、遊技盤にも、入賞装置にも、振分機構（少なくとも振分の結果）を遊技者の目から遮る構成は備えないことが前提である。
【００１０】
また、一般的に重力による遊技球の移動（落下、流下など）を利用するので、振分機構は入賞口よりも下方に配されており、従来の入賞装置では、この部分が入賞口の下で大きな領域を占めていた。つまり、その分だけ遊技領域において遊技球が移動可能な領域を狭めていた。
【００１１】
しかし、請求項２記載の入賞装置では、振分機構が背面取付部に設けられていて遊技盤の背後に位置するから、振分機構は（背面取付部全体としても）遊技領域を狭める等の影響を及ぼさない。よって、例えば振分機構の前方になる部分に遊技釘を配置することも可能であり、遊技領域を一層有効に利用できる。
【００１２】
請求項３記載の入賞装置は、請求項１又は２記載の入賞装置において、前記背面取付部には、前記入賞した遊技球を移送するための移送機構が設けられていることを特徴とする。
【００１３】
遊技球を移送するための移送機構としては、第３種始動口に用いられる回転体が代表的な例であるが、請求項２の振分機構と同様に入賞口の下方に配されることが多く、これを遊技盤の背後に位置させることによって、振分機構の場合と同様に遊技領域を一層有効に利用できる。
【００１４】
なお、移送機構も振分機構と同様に、移送経路の少なくとも一部において移送される遊技球を遊技者が視認できるのが望ましく、請求項３記載の入賞装置も、これを透光性の遊技盤に装着して、移送経路の少なくとも一部については遊技者が遊技盤を透かして遊技球を視認可能にするのが望ましい。
【００１５】
請求項２又は３記載の入賞装置は、上述したように遊技領域を有効に利用できるのであるが、遊技盤の面上で背面取付部が占めるスペースが大きいもの程、この効果が高い。逆に言えば、アタッカーのように遊技盤の面上で前面取付部、背面取付部が各々占めるスペースに大差がない入賞装置の場合は、背面取付部を遊技盤の背後に配しても、遊技領域の有効利用の点に限ればあまり効果がない。
【００１６】
従って、遊技領域を有効に利用するという観点では、請求項４記載の入賞装置、すなわち請求項１、２又は３記載の入賞装置において、遊技盤の背面への前記背面取付部の投影面積は、遊技盤の前面への前記前面取付部の投影面積よりも大きいことを特徴とする入賞装置が優れている。
【００１７】
請求項５記載の入賞装置は、請求項１〜４のいずれか記載の入賞装置において、前記前面取付部には、前記入賞口を拡大縮小或いは開閉するための開閉部材が設けられ、前記背面取付部には、前記開閉部材を駆動するためのアクチュエータが設けられていることを特徴とする。
【００１８】
入賞口を拡大縮小するための開閉部材としてはチューリップの開閉羽根が、入賞口を開閉するための開閉部材としてはアタッカーの扉や羽根ものの開閉羽根が例示される。
このような開閉部材を駆動するためのアクチュエータ、例えばソレノイドやモータを背面取付部に設けて、これを遊技盤の背後に配置することにより、請求項２、３の場合と同様に遊技盤の前面に配される部品を低減でき、遊技領域の有効利用に通じる。
【００１９】
請求項６記載の構成は、前面取付部及び背面取付部の取付形態の一例であり、前記前面取付部と前記背面取付部とは、一方に設けられて前記遊技盤に開けられたボス穴に挿通されたボスに螺入したねじによって連結される構成にすると、１本のねじを前面取付部及び背面取付部の取付けに共用できる。また、ねじ締めに要する工数も低減できる。
【００２０】
入賞した遊技球を検出するための検出手段（請求項１）やアクチュエータ（請求項５）が背面取付部に設けられるから、請求項７記載のように、電気配線は前記背面取付部のみに接続される構成が可能になる。この場合、検出手段やアクチュエータ以外の電気部品、例えばＬＥＤ等の発光体や配線基板等も背面取付部に設ければよい。電気配線が背面取付部のみに接続される構成とすることで、配線作業を行いやすくなる。また、電気配線を通すための穴を遊技盤に設けなくて済む。
【００２１】
請求項８記載の遊技盤は、請求項１〜７のいずれか記載の入賞装置が取り付けられているので、上述の通りの効果が得られる。
請求項９記載の遊技盤は、前記背面取付部内における遊技球の移動経路の少なくとも一部が、遊技者から視認可能とされていることを特徴とする請求項８記載の遊技盤であるから、遊技者は背面取付部内における遊技球の移動を（少なくともその一部を）見ることができる。これにより、入賞した遊技球が背面取付部に流入したことを遊技者が確認できる。例えば請求項３記載の入賞装置を用いて、移送機構による移送経路の少なくとも一部を遊技者から視認可能とすれば、移送される遊技球を遊技者が視認できる。
【００２２】
背面取付部内における遊技球の移動経路の少なくとも一部を遊技者に視認可能とするには、遊技盤を透光性にして遊技盤を透かして見えるようにするとか、遊技盤の一部に開口を設けて、この開口から上記の移動経路の少なくとも一部が見えるようにする等の構成を採用すればよい。
【００２３】
請求項１０記載の遊技盤は、請求項２記載の入賞装置が取り付けられていて、  前記振分機構による振分の結果が遊技者から視認可能とされていることを特徴とする請求項９記載の遊技盤であるから、上述したように、例えば当たり穴に入ったか否かの振分結果を遊技者が確認できる。
【００２４】
請求項１１記載の遊技盤は、請求項３記載の入賞装置が取り付けられていて、前記移送機構による移送経路の結果が遊技者から視認可能とされていることを特徴とする請求項９記載の遊技盤であるから、上述したように、移送される遊技球を遊技者が視認できる。
【発明を実施するための最良の形態】
【００２５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
この実施例は、本発明を羽根ものに適用した例である。
【００２６】
図１、図２に示すように、本実施例の入賞装置１は、前面取付部２と背面取付部３とで構成されている。そして、図２に示すように、前面取付部２は遊技盤４の前面４ａに取り付けられ、背面取付部３は遊技盤４の背面４ｂに取り付けられる。なお、遊技盤４は透明な合成樹脂製で、板厚は約１０ｍｍである。また、図１、図２から明らかなように、遊技盤４の背面４ｂへの背面取付部３の投影面積は、遊技盤４の前面４ａへの前面取付部２の投影面積よりも大きい。
【００２７】
前面取付部２は前面ベース１１にて各部を支持する構成である。また前面ベース１１のビス穴１２に通したビス（図示せず）により遊技盤４に取り付けられる。
前面ベース１１には、全体として箱状の前筐体１３が取り付けられている。
【００２８】
前筐体１３の頂部には普通入賞口１４が設けられている。普通入賞口１４に入賞した遊技球は、前面ベース１１に設けられている流出穴（図示せず）から後方へ流出する。遊技盤４には、その流出穴に対応して上貫通穴５が設けられており、遊技球は、上貫通穴５を通って背面取付部３に流入し、背面取付部３から遊技盤４に取り付けられた遊技球集合樋（図示せず）に排出される。
【００２９】
また、前筐体１３の中央部には表示器１５が取り付けられている。この表示器１５は数字、アルファベット、図形などを表示できる。
表示器１５が取り付けられている部分の左右側面は開口していて、入賞口１６とされる。但し、通常は開閉羽根１７によって入賞口１６が閉じられており、遊技球を入賞させることができない。しかし、開閉羽根１７を倒すと入賞口１６が開放され、また倒れた開閉羽根１７が遊技球を入賞口１６へと誘導する働きもするので、入賞が容易になる。なお、図１にては、右の開閉羽根１７は立てた状態（入賞口１６が閉じられている）、左の開閉羽根１７は倒した状態（入賞口１６が開放されている）を示している。
【００３０】
前筐体１３の内部には遊技球を検出するための入賞センサ１８が設置されており、入賞口１６から流入した遊技球は入賞センサ１８によって検出されてから、その下方の前室１９に落下する。
【００３１】
前室１９の床面は後方が低くなる傾斜面であり、前室１９に落下した遊技球は、この傾斜によって誘導されて、前面ベース１１に設けられている流出口２０から後方へ流出する。遊技盤４には、その流出口２０に対応して貫通穴６が設けられており、遊技球は、貫通穴６を通って背面取付部３に流入する。
【００３２】
前室１９の前面部には開口２１が設けられているので、前室１９内での遊技球の挙動が遊技者に見える。なお、開口２１は、遊技盤４の前方に配される透明板（通常はガラス板）によって閉塞されるので、遊技球が開口２１から前方に流出することはない。
【００３３】
背面取付部３を構成する各部は、直接又は間接に背面ベース２３に連結されており、背面取付部３は背面ベース２３のビス穴２４に通したビス（図示せず）により遊技盤４に取り付けられる。
【００３４】
なお、前面取付部２及び背面取付部３の位置決めは、それぞれに設けられている位置決め突起２５を遊技盤４の位置決め穴に嵌合させることで行われる。
背面取付部３には、開閉羽根１７を駆動するためのソレノイド２６が備わっている。梃子機構２７によってソレノイド２６に連結された駆動軸２８は、遊技盤４に設けられた穴を通って前面取付部２に達しており、その先端部には開閉羽根１７が取り付けられている。これにより、ソレノイド２６がオフのときは立てられている開閉羽根１７を、ソレノイド２６をオンにすることで倒す（入賞口１６を開放）ことができる。
【００３５】
上述の前室１９から貫通穴６を通って背面取付部３に流入した遊技球は、背面取付部３の振分室２９に流入する。
振分室２９の内部には可動体３０が配されている。可動体３０はモータ３１を駆動源として、例えば水平方向に回転したり、上下方向に首振り状の変位をする等で、振分室２９に落下して振分室２９内を移動する遊技球の進路を変化させる。
【００３６】
振分室２９の床面は前方が低くなる傾斜面であり、振分室２９内を移動した遊技球は、最終的には床面の傾斜によって誘導されて、前縁から落下する。その前縁からの落下先は、中央部の特定領域（いわゆるＶ領域）３２と、その左右の非特定領域３３とに分けられている。つまり、前縁から落下する遊技球は、特定領域３２又は非特定領域３３のいずれかに流入する。特定領域３２に流入した遊技球は、検出手段であるＶセンサ３４によって検出されてから入賞装置１の外部に排出され、非特定領域３３に流入した遊技球は、ここでは検出されることなく入賞装置１の外部に排出される。なお、非特定領域３３に流入した遊技球を検出するためのセンサを備えることもでき、そうすれば入賞センサ１８を省略できる。
【００３７】
また、背面取付部３には、ソレノイド２６、モータ３１、ＬＥＤ等のランプ類、Ｖセンサ３４、表示器１５、入賞センサ１８等と弾球遊技機の制御装置とを中継するための配線基板３５が設けられている。なお、表示器１５及び入賞センサ１８につながる配線は、遊技盤４に設けられた配線通し穴（図示せず）を通して、背面取付部３側と接続される。
【００３８】
本実施例の入賞装置１は、入賞口１６を形成する前筐体１３を備えて遊技盤４の前面４ａに取り付けられる前面取付部２と、入賞口１６に入賞し特定領域３２に流入した遊技球を検出するためのＶセンサ３４を備えて遊技盤４の背面４ｂに取り付けられる背面取付部３とで構成されており、前面取付部２と背面取付部３とをそれぞれ遊技盤４に取り付け、駆動軸２８の先端部に開閉羽根１７を取り付け、また表示器１５及び入賞センサ１８につながる配線を背面取付部３側と接続することで完成する。
【００３９】
入賞口１６から入賞した遊技球は遊技盤４に設けられた貫通穴６を通って背面取付部３に流入し、振分室２９から特定領域３２又は非特定領域３３のいずれかに流入し、特定領域３２に流入した遊技球はＶセンサ３４によって検出される構成であるから、入賞した遊技球を通すための貫通穴６が在ればよく、アッセンブリされた入賞装置を遊技盤４の前面側から挿し込むための入賞装置取付け用の開口を遊技盤４に設ける必要はない。
【００４０】
よって、遊技盤４に設ける開口をできるだけ少なくまた小さくでき、開口による遊技盤４の強度低下を防止できる。
また、入賞装置１の背面取付部３には、入賞口１６から入賞した遊技球を特定領域３２又は非特定領域３３に振分けるための振分機構（振分室２９及び可動体３０）が設けられている。
【００４１】
この入賞装置１は、例えば第２種パチンコ機に装備されて、遊技球が特定領域３２に進入してＶセンサ３４によって検出されると大当たり遊技が行われる、といった用途で用いられるのに適している。この場合、遊技球が特定領域３２に落下するか非特定領域３３落下するかが遊技に（獲得し得る遊技球の数に）大きく影響する。
【００４２】
入賞装置１では、この振分機構が背面取付部３に設けられていて、この入賞装置１を遊技盤４（透明である）に装着した場合、遊技盤４を透かして振分機構（少なくとも振分の結果）を遊技者が視認可能になる。このため、遊技球が特定領域３２に進入したか否かを確認したいという、遊技者の要望に応えることができる。
【００４３】
ところで、従来の羽根ものは、本実施例の振分室２９、特定領域３２、非特定領域３３等が含まれる部分の一部が、前面取付部２と同様に遊技盤４の前方に突出していたため、その分だけ遊技領域において遊技球が移動可能な領域を狭めていた。
【００４４】
しかし、本実施例の入賞装置１では、振分機構が背面取付部３に設けられていて遊技盤４の背後に位置するから、振分機構は（背面取付部３全体としても）遊技領域を狭める等の影響を及ぼさない。よって、例えば振分機構の前方になる部分に遊技釘を配置することも可能であり、遊技領域を一層有効に利用できる。
【００４５】
また、本実施例の入賞装置１においては、前面取付部２には、入賞口１６を開閉するための開閉羽根１７が設けられ、背面取付部３には、開閉羽根１７を駆動するためのソレノイド２６が設けられている。開閉羽根１７を駆動するための
ソレノイド２６を背面取付部３に設けて、これを遊技盤４の背後に配置することにより、遊技盤４の前面に配される部品を低減でき、遊技領域の有効利用に通じる。
【００４６】
さらに、本実施例の入賞装置１においては、ソレノイド２６、モータ３１、ＬＥＤ等のランプ類、Ｖセンサ３４、表示器１５、入賞センサ１８等と弾球遊技機の制御装置とを中継するための配線基板３５が背面取付部３に設けられている
ので、これらのための電気配線は背面取付部３のみに接続すればよく、配線作業を行いやすい。
［実施例２］
この実施例は、本発明を回転体を有する入賞装置に適用した例である。
【００４７】
図３、図４に示すように、本実施例の入賞装置５１は、前面取付部５２と背面取付部５３とで構成されている。そして、図４に示すように、前面取付部５２は遊技盤４の前面４ａに取り付けられ、背面取付部５３は遊技盤４の背面４ｂに取り付けられる。なお、遊技盤４は透明な合成樹脂製で、板厚は約１０ｍｍである。また、図３、図４から明らかなように、遊技盤４の背面４ｂへの背面取付部５３の投影面積は、遊技盤４の前面４ａへの前面取付部５２の投影面積よりも大きい。
【００４８】
前面取付部５２は、球受５５と前面ベース５６とからなり、球受の上縁が入賞口５７となっている。また、前面ベース５６には、入賞口５７から入賞した遊技球を背後に通過させるための流出口５８が設けられている。
【００４９】
この前面取付部５２は、前面ベース５６のビス穴１２に通したビス（図示せず）により遊技盤４に取り付けられる。また、遊技盤４には、流出口５８に対応して貫通穴６が設けられており、入賞口５７から入賞した遊技球は貫通穴６を通って背面取付部５３に流入する。
【００５０】
背面取付部５３を構成する各部は、直接又は間接に背面ベース５９に連結されており、背面取付部５３は背面ベース５９のビス穴２４に通したビス（図示せず）により遊技盤４に取り付けられる。なお、前面取付部５２及び背面取付部５３の位置決めは、実施例１と同様に、それぞれに設けられている位置決め突起（図示せず）を遊技盤４の位置決め穴に嵌合させることで行われる。
【００５１】
背面ベース５９には、略円形の上部６０ａとＵ字形の下部６０ｂとからなる開口６０が設けられている。開口６０の上部裏面には一対の円弧状のリブ６１が向かい合わせに立設されており、それらの間に回転体収容部６３が形成されている。一方、下部の裏面には球樋６２が連接されている。
【００５２】
また、背面ベース５９の背面にはボス６４が立設され、ボス６４にねじ止めされて支持板６５が連結されている。
支持板６５の中央部には軸受保持筒６６が立設され、下部にはセンサ保持部６７が設けられている。センサ保持部６７には検出手段である入賞センサ６８が取り付けられる。
【００５３】
軸受保持筒６６は支持板８５の背面に垂直に立設されており、ブッシュ軸受６９が回転自在に挿入されている。
ブッシュ軸受６９には回転体７０の回転軸７１が挿通されている。回転軸７１はブッシュ軸受６９の内面を摺動可能で、回転体７０は回転軸７１を中心にして回転可能かつ制限された範囲で前後に移動可能でもある。
【００５４】
回転軸７１の先端部にはビスにて従動部材７２が取り付けられており、従動部材７２と回転体７０とは共回りする。また、従動部材７２と支持板６５との間には、軸受保持筒６６に緩嵌した圧縮コイルバネ７３が配されている。
【００５５】
その従動部材７２と対面して駆動部材７５が配されている。従動部材７２には、回転軸７１の芯を中心とする放射状の凸部が設けられ、駆動部材７５には、この凸部に対応する凹部が設けられており、従動部材７２と駆動部材７５とは凸部と凹部とをかみ合わせた状態で連結されている。圧縮コイルバネ７３は、このかみ合い状態を保持する働きをする。
【００５６】
駆動部材７５はモータ７６の出力軸７７に取り付けられている。モータ７６はボス７８に螺着したビスにより支持板６５に固定されている。
こうした構成であるから、モータ７６を回転させれば、回転体７０を回転させることができる。
【００５７】
その回転体７０にはＵ溝状の球受溝８０が設けられており、球受溝８０が図１に示す１２時の位置付近にあるときには、貫通穴６を通過してきた遊技球を球受溝８０に受け入れできる。
【００５８】
球受溝８０に遊技球を受け入れた回転体７０が例えば時計回りに回転して球受溝８０が６時の位置にくると、球受溝８０に保持していた遊技球が落下する。円弧状のリブ６１は１２時位置から６時位置までの回転途中に遊技球が球受溝８０から離脱するのを防いでいる。なお、遊技球を球受溝８０から落下（離脱）させる位置は６時の位置に限るわけではなく、適宜の位置（例えば３時の位置から９時の位置までの範囲で適宜位置）にできる。
【００５９】
球受溝８０から落下した遊技球は、入賞センサ６８にて検出されてから球樋６２内に落下し、球樋６２の後端から落下、排出される。
すなわち、回転体７０とこれを回転駆動するための従動部材７２、圧縮コイルバネ７３、駆動部材７５、モータ７６等によって移送機構が構成されている。
【００６０】
本実施例の入賞装置５１は、入賞口５７を形成する球受５５を備えて遊技盤４の前面４ａに取り付けられる前面取付部５２と、入賞口５７に入賞して回転体７０によって移送されてきた遊技球を検出するための入賞センサ６８を備えて遊技盤４の背面４ｂに取り付けられる背面取付部５３とで構成されており、前面取付部５２と背面取付部５３とをそれぞれ遊技盤４に取り付けることで完成する。
【００６１】
入賞口５７から入賞した遊技球は遊技盤４に設けられた貫通穴６を通って背面取付部５３に流入し、回転体７０の球受溝８０に受け入れられ、回転体７０が回転して球受溝８０が６時の位置にくると、球受溝８０から落下し、入賞センサ６８にて検出されてから球樋６２内に落下し、球樋６２の後端から排出される。
【００６２】
こうした構成であるから、入賞した遊技球を通すための貫通穴６が在ればよく、アッセンブリされた入賞装置を遊技盤４の前面側から挿し込むための入賞装置取付け用の開口を遊技盤４に設ける必要はない。よって、遊技盤４に設ける開口をできるだけ少なくまた小さくでき、開口による遊技盤４の強度低下を防止できる。
【００６３】
また、入賞装置５１の背面取付部５３には、入賞口５７から入賞した遊技球を入賞センサ６８へと移送するための回転体７０及びこれを回転駆動するためのモータ７６等が設けられている。
【００６４】
この入賞装置５１は、例えば第３種パチンコ機に装備されて、第３種始動口として使用されるのに適している。
この第３種パチンコ機の第３種始動口として使用する場合、大当たり状態で遊技球が入賞センサ６８によって検出されると大入賞口が開放されるのであるが、入賞装置５１を遊技盤４（透明である）に装着した場合、遊技盤４を透かして回転体７０による遊技球の移送状態と回転体７０からの遊技球の落下を遊技者が視認可能になる。このため、遊技球が入賞センサ６８によって検出されるタイミング、すなわち大入賞口が開放されるタイミングを予測したいという、遊技者の要望に応えることができる。
【００６５】
ところで、従来の回転体付きの入賞装置は、本実施例の回転体７０、リブ６１、入賞センサ６８、球樋６２等が含まれる部分（おおむね背面ベース５９と支持板６５との間になる部分）が、前面取付部５２と同様に遊技盤４の前方に突出していたため、その分だけ遊技領域において遊技球が移動可能な領域を狭めていた。
【００６６】
しかし、本実施例の入賞装置５１では、回転体７０等で構成される移送機構が背面取付部３に設けられていて遊技盤４の背後に位置するから、移送機構は（背面取付部５３全体としても）遊技領域を狭める等の影響を及ぼさない。よって、例えば移送機構の前方になる部分に遊技釘を配置することも可能であり、遊技領域を一層有効に利用できる。
【００６７】
また、本実施例の入賞装置５１においては、背面取付部５３には、回転体７０を駆動するためのモータ７６が設けられている。モータ７６を背面取付部５３に設けて、これを遊技盤４の背後に配置することにより、遊技盤４の前面に配される部品を低減でき、遊技領域の有効利用に通じる。
【００６８】
さらに、本実施例の入賞装置５１においては、モータ７６及び入賞センサ６８が背面取付部５３に設けられているので、これらと弾球遊技機の制御装置とを接続するための電気配線は背面取付部５３のみに接続すればよく、配線作業を行いやすい。また、入賞装置５１のための電気配線を通す穴を遊技盤４に設けなくて済む。
［取付形態の変形例］
実施例１、２では、前面取付部２（５２）及び背面取付部３（５３）を別々に遊技盤４に取り付けているが、図５に例示するような取付形態とすることもできる。
【００６９】
この図５に示す例では、前面取付部２（５２）の前面ベース１１（５６）にボス８２が立設されている。このボス８２を遊技盤４に設けられたボス穴８３に通し、背面取付部３（５３）の背面ベース２３（５９）のビス穴２４に通したビス８４をボス８２に螺入してねじ締めし、遊技盤４を前面ベース１１（５６）と背面ベース２３（５９）とで挟み付けるようにして遊技盤４に取り付ける。このようにすると、１本のねじを前面取付部２（５２）及び背面取付部３（５３）の取付けに共用できる。また、ねじ締めに要する工数も低減できる。なお、図５の例とは逆に、ボス８２を背面ベース２３（５９）に設けてもよい。
［その他］
実施例１では、入賞口１６から入賞した遊技球を特定領域３２又は非特定領域３３に振分けるための振分機構を振分室２９及び可動体３０にて構成しているが、同様の振り分けが可能であれば振分機構の構成には特段の制限は無い。例えば特許文献４に記載されているクルーンを用いた構成であってもよい。
【図面の簡単な説明】
【００７０】
【図１】実施例１の入賞装置の正面図。
【図２】実施例１の入賞装置を遊技盤に取り付けた状態の側面図。
【図３】実施例２の入賞装置の正面図。
【図４】実施例２の入賞装置を遊技盤に取り付けた状態のＡ−Ａ断面図。
【図５】取付形態の変形例の説明図。
【符号の説明】
【００７１】
１・・・入賞装置、
２・・・前面取付部、
３・・・背面取付部、
４・・・遊技盤、
６・・・貫通穴、
１６・・・入賞口、
１７・・・開閉羽根（開閉部材）、
２６・・・ソレノイド（アクチュエータ）、
２９・・・振分室（振分機構）、
３０・・・可動体（振分機構）、
３１・・・モータ、
３４・・・Ｖセンサ（検出手段）、
３５・・・配線基板、
５１・・・入賞装置、
５２・・・前面取付部、
５３・・・背面取付部、
５７・・・入賞口、
６１・・・リブ、
６８・・・入賞センサ（検出手段）、
７０・・・回転体（移送機構）、
７６・・・モータ。
【図１】
2007319605.tif 000003
【図２】
2007319605.tif 000004
【図３】
2007319605.tif 000005
【図４】
2007319605.tif 000006
【図５】
2007319605.tif 000007